(57)【特許請求の範囲】
【請求項１】
空気調和に係る所定の制御信号を生成する主制御部と、前記制御信号に基づいて所定の駆動を行う駆動ユニットと、
前記主制御部の表示制御により前記駆動ユニットの駆動状況を複数の異なる態様で表示する表示パネルと
を備え、
前記表示パネルは、
所定電位に保持された所定電位保持端子と、
前記態様を前記主制御部に伝達するための態様識別用端子と、
前記態様を当該態様以外の他の態様から識別するために前記態様識別用端子の電位を前記所定電位に保持すべく前記所定電位保持端子と前記態様識別用端子との間を短絡して形成されるジャンパ線と
を備え、
前記主制御部は、
前記表示パネルの前記態様識別用端子に接続される仕様判断用端子を有し、当該仕様判断用端子の電位が前記所定電位になっている場合に、前記表示パネルに前記ジャンパ線が備えられているものとして当該態様に対応した所定仕様で前記空気調和が行われている旨を判断する一方、前記仕様判断用端子の電位が前記所定電位以外の他の電位になっている場合に、前記表示パネルに前記ジャンパ線が備えられていないものとして前記他の態様に対応した他の仕様で前記空気調和が行われている旨を判断する仕様判断手段と、
前記仕様判断手段で得られた前記所定仕様または前記他の仕様のいずれか一方の判断結果に基づいて、当該判断結果に対応する前記駆動ユニットの駆動制御を行う駆動制御手段と
を備える空気調和機。
【請求項２】
請求項１に記載の空気調和機であって、
前記所定電位は接地電位であり、
前記表示パネルの前記態様識別用端子及び前記主制御部の前記仕様判断用端子は、所定のプルアップ手段によりプルアップされることを特徴とする空気調和機。
【請求項３】
空気調和に係る所定の制御信号を所定の駆動ユニットに送信するとともに、前記制御信号に対応して表示を行う空気調和機の制御ユニットであって、
前記駆動ユニットの駆動状況を前記空気調和機の異なる複数の仕様に対応してそれぞれ異なる態様で表示する表示パネルと、
前記制御信号を生成するとともに、前記表示パネルを前記駆動ユニットの駆動状況に応じて表示制御する主制御部と
を備え、
前記表示パネルは、
所定電位に保持された所定電位保持端子と、
前記態様を前記主制御部に伝達するための態様識別用端子と、
前記態様を当該態様以外の他の態様から識別するために前記態様識別用端子の電位を前記所定電位に保持すべく前記所定電位保持端子と前記態様識別用端子との間を短絡して形成されるジャンパ線と
を備え、
前記主制御部は、
前記表示パネルの前記態様識別用端子に接続される仕様判断用端子を有し、当該仕様判断用端子の電位が前記所定電位になっている場合に、前記表示パネルに前記ジャンパ線が備えられているものとして当該態様に対応した所定仕様で前記空気調和が行われている旨を判断する一方、前記仕様判断用端子の電位が前記所定電位以外の他の電位になっている場合に、前記表示パネルに前記ジャンパ線が備えられていないものとして前記他の態様に対応した他の仕様で前記空気調和が行われている旨を判断する仕様判断手段と、
前記仕様判断手段で得られた前記所定仕様または前記他の仕様のいずれか一方の判断結果に基づいて、当該判断結果に対応する前記駆動ユニットの駆動制御を行う駆動制御手段と
を備える空気調和機の制御ユニット。
【請求項４】
請求項３に記載の空気調和機の制御ユニットであって、
前記所定電位は接地電位であり、
前記表示パネルの前記態様識別用端子及び前記主制御部の前記仕様判断用端子は、所定のプルアップ手段によりプルアップされることを特徴とする空気調和機の制御ユニット。
【請求項５】
空気調和機の複数の異なる仕様に対応して前記空気調和機の運転状況をそれぞれ異なる態様で表示する表示パネルであって、
所定のジャンパ線の有無により、前記空気調和機の複数の異なる仕様に対応して前記空気調和機の運転状況をそれぞれ異なる態様で表示し、
前記ジャンパ線は前記表示パネル内に設けられることを特徴とする表示パネル。
【請求項６】
請求項５に記載の表示パネルであって、
所定電位に保持された所定電位保持端子と、
前記態様を外部に伝達するための態様識別用端子と、
前記態様を当該態様以外の他の態様から識別するために前記態様識別用端子の電位を前記所定電位に保持すべく前記所定電位保持端子と前記態様識別用端子との間を短絡して形成されるジャンパ線と
を備える表示パネル。
【請求項７】
請求項６に記載の表示パネルであって、
前記所定電位は接地電位であり、
前記表示パネルの前記態様識別用端子は、所定のプルアップ手段によりプルアップされることを特徴とする表示パネル。
【請求項８】
空気調和に係る所定の制御信号を所定の主制御部で生成して所定の駆動ユニットに送信するとともに、前記制御信号に対応して前記主制御部での制御に基づいて表示を行う空気調和機の制御ユニットの製造方法であって、
前記空気調和機の所定仕様に対応する第１の表示形象と、第１の所定電位保持端子及び第１の態様識別用端子とを形成するとともに、前記第１の所定電位保持端子と前記第１の態様識別用端子とを短絡するジャンパ線を形成して、第１の表示パネルを形成する第１の工程と、
前記空気調和機の他の仕様に対応する第２の表示形象と、互いに結線されない第２の所定電位保持端子及び第２の態様識別用端子とを形成して、第２の表示パネルを形成する第２の工程と、
前記主制御部を形成する第３の工程と、
回路基板上に前記主制御部を搭載する第４の工程と、
前記回路基板上に、第１の表示パネル及び第２の表示パネルのいずれか一方を選択して搭載する第５の工程と
を備え、
前記第３の工程は、
前記第１及び第２の前記態様識別用端子のいずれか一方に接続される仕様判断用端子を前記主制御部に形成する工程と、
前記仕様判断用端子の電位が前記所定電位になっている場合に、前記第１の表示パネルが前記回路基板上に搭載されているものとして当該空気調和機が前記所定仕様である旨を判断する一方、前記仕様判断用端子の電位が前記所定電位以外の他の電位になっている場合に、前記第２の表示パネルが前記回路基板上に搭載されているものとして当該空気調和機が前記他の仕様である旨を判断する仕様判断手段を前記主制御部に形成する工程と、
前記仕様判断手段で得られる前記所定仕様または前記他の仕様のいずれか一方の判断結果に基づいて、当該判断結果に対応する前記駆動ユニットの駆動制御を行う駆動制御手段を前記主制御部に形成する工程と
を備える空気調和機の制御ユニットの製造方法。
【請求項９】
請求項８に記載の空気調和機の制御ユニットの製造方法であって、
前記所定電位は接地電位であり、
前記回路基板または前記主制御部に、前記仕様判断用端子をプルアップするプルアップ手段を形成する工程をさらに備える空気調和機の制御ユニットの製造方法。
【発明の詳細な説明】
【０００１】
【発明の属する技術分野】
この発明は、空気調和に係る駆動ユニットを主制御部で駆動制御するとともに、複数の種類の表示パネルを互いに交換可能に取り付けて主制御部での表示制御により当該表示パネルの表示制御を行うようにされた空気調和機、その制御ユニット、表示パネル及び空気調和機の制御ユニットの製造方法に関する。
【０００２】
【従来の技術】
空気調和機においては、近年のニーズの多様化及び電子技術の発展に伴い、送風制御、冷房／暖房の切り換え及び設定温度の指定等の様々な操作制御が可能となっている。
【０００３】
これらの操作制御は、通常は操作者が有線式または無線式の操作制御盤（リモートコントローラ）を通じて実施する。図５は有線式の操作制御盤の例を示す図である。図５のように、一般的な操作制御盤においては、所定の回路基板１上に搭載された主制御部としてのＭＰＵ（マイクロプロセッサユニット）２によって、圧縮機や送風機等の種々の駆動ユニット（図示せず）の駆動制御を指示するようになっている。このＭＰＵ２は、内蔵の記憶部（ＲＯＭ：図示せず）内に格納されたソフトウェアプログラムに従って動作するもので、所定のスイッチ部３でのスイッチング操作に基づいて、ＭＰＵ２が所定の通信回路４を通じて各駆動ユニットに制御信号を送信するようになっている。
【０００４】
このようにＭＰＵ２によって各駆動ユニットを制御する際、通常はその制御状況を、液晶表示板や有機ＥＬ（エレクトロ・ルミネッセント）表示板等を使用した所定の表示パネル５に表示する。
【０００５】
図６及び図７は、日本国内に向けて出荷される（日本国内向け仕様の）空気調和機用の日本語表示式の表示パネル５ａを示している。この表示パネル５ａはセグメント表示式の液晶表示板を使用したものであり、ＭＰＵ２での制御状況を、日本語文字や記号、あるいはゲージ表示のための擬似的指針像として表示すべく、種々の形状のセグメント６を明暗切り換えするようになっている。具体的には、各セグメント６毎に、ネマチック式、スメクチック式またはコレステリック式の液晶層を挟んで、例えば前面側に透明な陽極電極を形成するとともに背面側に陰極電極を形成し、各セグメント６の陽極電極には図６のような陽極配線７を通じてセグメント６毎に所定の正の電圧を印加し、また陰極電極には図７のような陰極配線８を通じて共通に接地することで、陽極電極に正の電圧を与えたセグメント６の液晶層の分子配列を変化させて光透過性を変化させる（明暗切り換えする）ようになっている。
【０００６】
一方、図８は、海外に向けて出荷される（海外向け仕様の）空気調和機用の表示パネル５ｂの表示例を示す図である。この表示パネル５ｂも図６及び図７に示した表示パネル５ａと同様の基本構造を有する液晶表示板を使用しているが、セグメント９の形状として日本語文字を一切使用していない点で、図６及び図７に示した表示パネル５ａとは異なる構成を採っている。
【０００７】
このように、空気調和機の出荷先によって仕様の異なる表示パネル５ａ，５ｂを適宜選択して、回路基板１上に搭載するようになっている。
【０００８】
尚、図６〜図８中の符号１０は、図５に示した回路基板１上のプリント配線１１に結線される接続端子を示している。
【０００９】
【発明が解決しようとする課題】
ところで、ＭＰＵ２で各駆動ユニットの駆動制御の指示を行う場合、日本国内向けの空気調和機と海外向けの空気調和機とでは、駆動制御の方法が異なる場合がある。
【００１０】
例えば、国によっては、日本国内とは異なり、何らかの外部的要因によって主電源が瞬断されることが多いことがある。このような国においては、空気調和機の作動中に一定時間毎に各駆動ユニットの制御状況を所定の書き換え可能な不揮発性メモリに格納し、電源の瞬断後の空気調和機の作動再開時に、書き換え可能な不揮発性メモリに格納された制御状況を呼び出して、瞬断前の制御状況を回復することが行われる。
【００１１】
また、日本国内向け仕様の空気調和機においては、日本の気候に適合した基準温度を基準にして、温度の自動調整を行うことが行われる一方、海外向け仕様の空気調和機においては、出荷対象となる国が特定されない限り、不特定多数の全ての国の気候に適合した基準温度を設定することが困難であるため、日本国内向け仕様の基準温度の設定を無効にして、適宜手入力で適正温度を設定できるようにするなどのことも行われている。
【００１２】
このように、日本国内向け仕様と海外向け仕様とで、ＭＰＵ２は各駆動ユニットに対して異なった駆動制御の指示を行うようになっているため、従来では、ＭＰＵ２内で特定の端子Ｔｊをプルアップしておき、例えば、日本国内向け仕様の操作制御盤の場合には、図９のように端子Ｔｊをジャンパ線１２で接地してロー電位にする一方、海外向け仕様の操作制御盤の場合には、図９に示したジャンパ線１２を省略し、図１０のように端子Ｔｊを開放してこれをハイ電位にしていた。即ち、ＭＰＵ２の特定の端子Ｔｊとグランド（ＧＮＤ）との間にジャンパ線１２を介装するか否かで、ＭＰＵ２の各駆動ユニットに対する駆動制御の指示機能を切り換えることで、同一の回路基板１を日本国内向け仕様と海外向け仕様の両方に容易に有効利用することが行われていた。
【００１３】
しかしながら、このように出荷先の別に応じてジャンパ線１２の有無を変更する場合は、ジャンパ線１２を取り付けた回路基板１（図５及び図９参照）と、ジャンパ線１２を省略した回路基板１（図１０参照）の少なくとも２種類の回路基板１を予め在庫しておき、ジャンパ線１２を取り付けた日本国内向け仕様の回路基板１には、図６及び図７に示した日本国内向け仕様の表示パネル５ａを搭載する一方、ジャンパ線１２を省略した海外向け仕様の回路基板１には、図８に示した海外向け仕様の表示パネル５ｂを搭載しなければならず、その在庫管理が煩雑となっていた。
【００１４】
また、そもそもジャンパ線１２を回路基板１上に取付ける工程自体を省き、製造工程上の効率化を向上させたいという要請もあった。
【００１５】
ここでは、有線式の操作制御盤について説明したが、無線式の操作制御盤や、例えば空気調和機の室内機内に設置されたその他のＭＰＵ（主制御部）を有する種々の制御ユニットについても同様である。
【００１６】
そこで、この発明の課題は、仕様の異なる制御ユニットにおいてその仕様に応じて主制御部の機能を切り換える際に、ジャンパ線の取付けを必要としない空気調和機、その制御ユニット、表示パネル及び空気調和機の制御ユニットの製造方法を提供することにある。
【００１７】
【課題を解決するための手段】
上記課題を解決すべく、請求項１に記載の発明は、空気調和に係る所定の制御信号を生成する主制御部と、前記制御信号に基づいて所定の駆動を行う駆動ユニットと、前記主制御部の表示制御により前記駆動ユニットの駆動状況を複数の異なる態様で表示する表示パネルとを備え、前記表示パネルは、所定電位に保持された所定電位保持端子と、前記態様を前記主制御部に伝達するための態様識別用端子と、前記態様を当該態様以外の他の態様から識別するために前記態様識別用端子の電位を前記所定電位に保持すべく前記所定電位保持端子と前記態様識別用端子との間を短絡して形成されるジャンパ線とを備え、前記主制御部は、前記表示パネルの前記態様識別用端子に接続される仕様判断用端子を有し、当該仕様判断用端子の電位が前記所定電位になっている場合に、前記表示パネルに前記ジャンパ線が備えられているものとして当該態様に対応した所定仕様で前記空気調和が行われている旨を判断する一方、前記仕様判断用端子の電位が前記所定電位以外の他の電位になっている場合に、前記表示パネルに前記ジャンパ線が備えられていないものとして前記他の態様に対応した他の仕様で前記空気調和が行われている旨を判断する仕様判断手段と、前記仕様判断手段で得られた前記所定仕様または前記他の仕様のいずれか一方の判断結果に基づいて、当該判断結果に対応する前記駆動ユニットの駆動制御を行う駆動制御手段とを備えるものである。
【００１８】
請求項３に記載の発明は、空気調和に係る所定の制御信号を所定の駆動ユニットに送信するとともに、前記制御信号に対応して表示を行う空気調和機の制御ユニットであって、前記駆動ユニットの駆動状況を前記空気調和機の異なる複数の仕様に対応してそれぞれ異なる態様で表示する表示パネルと、前記制御信号を生成するとともに、前記表示パネルを前記駆動ユニットの駆動状況に応じて表示制御する主制御部とを備え、前記表示パネルは、所定電位に保持された所定電位保持端子と、前記態様を前記主制御部に伝達するための態様識別用端子と、前記態様を当該態様以外の他の態様から識別するために前記態様識別用端子の電位を前記所定電位に保持すべく前記所定電位保持端子と前記態様識別用端子との間を短絡して形成されるジャンパ線とを備え、前記主制御部は、前記表示パネルの前記態様識別用端子に接続される仕様判断用端子を有し、当該仕様判断用端子の電位が前記所定電位になっている場合に、前記表示パネルに前記ジャンパ線が備えられているものとして当該態様に対応した所定仕様で前記空気調和が行われている旨を判断する一方、前記仕様判断用端子の電位が前記所定電位以外の他の電位になっている場合に、前記表示パネルに前記ジャンパ線が備えられていないものとして前記他の態様に対応した他の仕様で前記空気調和が行われている旨を判断する仕様判断手段と、前記仕様判断手段で得られた前記所定仕様または前記他の仕様のいずれか一方の判断結果に基づいて、当該判断結果に対応する前記駆動ユニットの駆動制御を行う駆動制御手段とを備えるものである。
【００１９】
請求項２及び請求項４に記載の発明は、前記所定電位は接地電位であり、前記表示パネルの前記態様識別用端子及び前記主制御部の前記仕様判断用端子は、所定のプルアップ手段によりプルアップされるものである。
【００２０】
請求項５に記載の発明は、空気調和機の複数の異なる仕様に対応して前記空気調和機の運転状況をそれぞれ異なる態様で表示する表示パネルであって、所定のジャンパ線の有無により、前記空気調和機の複数の異なる仕様に対応して前記空気調和機の運転状況をそれぞれ異なる態様で表示するものである。但し前記ジャンパ線は前記表示パネル内に設けられる。
【００２１】
請求項６に記載の発明は、表示パネルであって、所定電位に保持された所定電位保持端子と、前記態様を外部に伝達するための態様識別用端子と、前記態様を当該態様以外の他の態様から識別するために前記態様識別用端子の電位を前記所定電位に保持すべく前記所定電位保持端子と前記態様識別用端子との間を短絡して形成されるジャンパ線とを備えるものである。
【００２３】
請求項７に記載の発明は、前記所定電位は接地電位であり、前記表示パネルの前記態様識別用端子は、所定のプルアップ手段によりプルアップされるものである。
【００２４】
請求項８に記載の発明は、空気調和に係る所定の制御信号を所定の主制御部で生成して所定の駆動ユニットに送信するとともに、前記制御信号に対応して前記主制御部での制御に基づいて表示を行う空気調和機の制御ユニットの製造方法であって、前記空気調和機の所定仕様に対応する第１の表示形象と、第１の所定電位保持端子及び第１の態様識別用端子とを形成するとともに、前記第１の所定電位保持端子と前記第１の態様識別用端子とを短絡するジャンパ線を形成して、第１の表示パネルを形成する第１の工程と、前記空気調和機の他の仕様に対応する第２の表示形象と、互いに結線されない第２の所定電位保持端子及び第２の態様識別用端子とを形成して、第２の表示パネルを形成する第２の工程と、前記主制御部を形成する第３の工程と、回路基板上に前記主制御部を搭載する第４の工程と、前記回路基板上に、第１の表示パネル及び第２の表示パネルのいずれか一方を選択して搭載する第５の工程とを備え、前記第３の工程は、前記第１及び第２の前記態様識別用端子のいずれか一方に接続される仕様判断用端子を前記主制御部に形成する工程と、前記仕様判断用端子の電位が前記所定電位になっている場合に、前記第１の表示パネルが前記回路基板上に搭載されているものとして当該空気調和機が前記所定仕様である旨を判断する一方、前記仕様判断用端子の電位が前記所定電位以外の他の電位になっている場合に、前記第２の表示パネルが前記回路基板上に搭載されているものとして当該空気調和機が前記他の仕様である旨を判断する仕様判断手段を前記主制御部に形成する工程と、前記仕様判断手段で得られる前記所定仕様または前記他の仕様のいずれか一方の判断結果に基づいて、当該判断結果に対応する前記駆動ユニットの駆動制御を行う駆動制御手段を前記主制御部に形成する工程とを備えるものである。
【００２５】
請求項９に記載の発明は、前記所定電位は接地電位であり、前記回路基板または前記主制御部に、前記仕様判断用端子をプルアップするプルアップ手段を形成する工程をさらに備えるものである。
【００２６】
【作用】
請求項１ないし請求項９に記載の発明では、表示パネルは、ジャンパ線の有無によって空気調和機の複数の異なる仕様に対応してそれぞれ異なる態様で表示する。そして、例えば請求項２、請求項４、請求項７及び請求項９のように、態様識別用端子をプルアップ手段でプルアップした場合に、この態様識別用端子に接続される仕様判断用端子の電位がジャンパ線を通じて電位保持端子の接地電位に短絡されているか否かを主制御部で判断し、この判断結果に基づいて、主制御部が空気調和機の仕様の別を識別する。これにより、所定仕様に対応した表示パネルと他の仕様に対応した表示パネルとを適宜選択して実装するだけで、主制御部が駆動ユニットに対する制御の仕様を切り換えることが可能となり、従来のように回路基板上にジャンパ線を形成して所定仕様を他の仕様から識別する必要がなくなる。
【００２７】
【発明の実施の形態】
＜構成＞
図１はこの発明の一の実施の形態に係る空気調和機を示す図である。この空気調和機は、圧縮機、送風機及び除湿機等の種々の駆動ユニット２０ａ，２０ｂ・・・に対して、所定の制御ユニット２１から通信回線２２を通じて制御信号を送信することで温度調整や湿度調整等の空気調整を行うものである。
【００２８】
制御ユニット２１は、例えば室内の壁面等に設置される操作制御盤（有線式リモートコントローラ）であって、回路基板２４上に搭載された主制御部２５と、この主制御部２５に対して操作者が空気調整についての様々な設定条件を操作指示するためのスイッチ部２６と、主制御部２５から出力される制御信号を所定の通信プロトコルに適合させて通信回線２２を通じて各駆動ユニット２０ａ，２０ｂ・・・に送信する通信回路２７と、主制御部２５による各駆動ユニット２０ａ，２０ｂ・・・の制御状況を表示する表示パネル２８（２８ａ，２８ｂ）とを備える。尚、表示パネル２８としては、後述する２種の表示パネル２８ａ，２８ｂのいずれか一方が選択されて採用されるが、制御ユニット２１に備えられたものを表示パネル２８として表記して説明する。
【００２９】
回路基板２４は、主制御部２５、スイッチ部２６、通信回路２７及び表示パネル２８といった各部位間を接続するための配線３１〜３３が印刷されたプリント配線基板である。特に、この回路基板２４上の主制御部２５と表示パネル２８とを結ぶ配線３３は、駆動電流供給用配線３３ａと、プルアップ抵抗（プルアップ手段）Ｒｐを介して電源Ｖｃｃに接続されるとともに表示パネル２８の態様識別用端子４１に接続される仕様識別用配線３３ｂと、表示パネル２８の接地端子（所定電位保持端子）４２を接地するための接地用配線３３ｃとが含まれる。
【００３０】
通信回路２７は、図１の如く、主制御部２５から配線３２を通じて与えられたディジタル信号を増幅して通信回線２２に送出する増幅回路（図示せず）や、各駆動ユニット２０ａ，２０ｂ・・・から通信回線２２を通じて与えられた駆動状況等の情報を降圧して配線３２を通じて主制御部２５に出力するレギュレータ（図示せず）等を備える。
【００３１】
主制御部２５は、書き換え可能な不揮発性メモリ（記憶部：図示せず）が内蔵されたＭＰＵ（マイクロプロセッサユニット）であり、図２の如く、スイッチ部２６から配線３１を通じて与えられた制御状況に基づいて各駆動ユニット２０ａ，２０ｂ・・・の駆動制御に係る制御信号を生成し、この制御信号を配線３２を通じて通信回路２７に出力する駆動制御部（駆動制御手段）２５ａを有する。
【００３２】
また、主制御部２５は、通信回路２７及び配線３２を通じて、各駆動ユニット２０ａ，２０ｂ・・・の駆動状況等を示す種々の情報を受信する駆動状況受信部２５ｂを有する。
【００３３】
さらに、主制御部２５は、上記の駆動状況受信部２５ｂにより受信した各駆動ユニット２０ａ，２０ｂ・・・の駆動状況と、上記の駆動制御部２５ａにより主制御部２５自身が生成した制御信号とに基づいて、表示パネル２８に対して各駆動ユニット２０ａ，２０ｂ・・・の駆動状況に係る表示を指示する表示制御部２５ｃを有している。
【００３４】
ここで、上記した駆動制御部２５ａは、この制御ユニット２１を搭載する空気調和機が日本国内向け仕様であるか、あるいは海外向け仕様であるかによって、各駆動ユニット２０ａ，２０ｂ・・・に対して異なった制御信号を送信するようになっている。
【００３５】
例えば、この制御ユニット２１が海外向け仕様の空気調和機に搭載される場合には、空気調和機の作動中に一定時間毎に各駆動ユニットの制御状況を記憶部に逐一更新的に格納しておく一方、日本国内向け仕様の空気調和機に搭載される場合には、かかる記憶部への逐一の制御状況の更新的格納を禁止するように定義付けされている。これは、主電源の瞬断の可能性がある海外での使用の場合に、瞬断後の作動再開時に瞬断前の制御状況を迅速に再現するためである。
【００３６】
また、例えば、この制御ユニット２１が日本国内向け仕様の空気調和機に搭載される場合には、日本の気候に適合した基準温度を基準にして、温度の自動調整を行う機能を付与しておく一方、海外向け仕様の空気調和機に搭載される場合には、日本国内向け仕様の基準温度の設定を無効にして、例えば適宜手入力で適正温度を設定するように定義付けされている。
【００３７】
そして、この主制御部２５は、仕様識別用配線３３ｂを通じて表示パネル２８に接続された仕様判断用端子Ｔｇを有しており、この仕様判断用端子Ｔｇをプルアップ抵抗Ｒｐでプルアップしつつ、この仕様判断用端子Ｔｇが接地されてロー電位になっている場合に、当該制御ユニット２１が日本国内向け仕様の空気調和機に搭載されている旨を判断する一方、仕様判断用端子Ｔｇがプルアップされたままハイ電位になっている場合に、当該制御ユニット２１が海外向け仕様の空気調和機に搭載されている旨を判断する出荷先判断部（仕様判断手段）２５ｄを有している。
【００３８】
これら駆動制御部２５ａ、駆動状況受信部２５ｂ、表示制御部２５ｃ及び出荷先判断部２５ｄは、記憶部内に予め格納された所定のソフトウェアプログラムによって規律される機能要素として実現される。
【００３９】
スイッチ部２６は、押しボタン式スイッチまたはスライド式スイッチ等の所定のスイッチ機構（図示せず）が操作された際に当該操作に係るアナログ式の制御状況をディジタル信号に変換して主制御部２５に送信するＡ／Ｄ変換器等を有するものである。
【００４０】
表示パネル２８としては、一般的なセグメント表示式液晶表示板（ＬＣＤ）が使用され、図３に示した日本国内向け仕様に対応した態様で表示する第１の表示パネル２８ａと、図４に示した海外向け仕様に対応した態様で表示する第２の表示パネル２８ｂとが適宜選択されて使用される。いずれの表示パネル２８ａ，２８ｂも、それぞれに予め形成された所定の表示セグメント（表示形象）３５ａ，３５ｂの明暗を切り換えて種々の制御状況に係る情報の表示を行うものであるが、第１の表示パネル２８ａに形成される表示セグメント３５ａが日本語文字の形状であるのに対し、第２の表示パネル２８ｂに形成される表示セグメント３５ｂには日本語の文字が一切使用されていない点で、両者は異なった表示態様で表示するように設計されている。各表示セグメント３５ａ，３５ｂは、それぞれの形状に対応して平行に配置された陽極電極と陰極電極と、これらの間に配置された液晶層とが備えられ、陽極電極は図示しない所定の陽極配線を通じて陽極端子３７に接続され、陰極電極は所定の陰極配線３９を通じて陰極端子３８に接続されている。
【００４１】
また、各表示パネル２８ａ，２８ｂには、回路基板２４上の仕様識別用配線３３ｂに接続されて、制御ユニット２１に搭載された表示パネル２８がいかなる態様で表示するかを主制御部２５に伝達するための１個の態様識別用端子４１と、回路基板２４上の接地用配線３３ｃに接続される１個の接地端子（所定電位保持端子）４２とが形成されている。態様識別用端子４１及び接地端子４２は各表示セグメント３５ａ，３５ｂの陽極電極及び陰極電極には結線されない。そして、図３に示した日本国内向け仕様の第１の表示パネル２８ａの内部においては、態様識別用端子４１と接地端子４２とがジャンパ線４３により互いに接続される一方、図４に示した海外向け仕様の第２の表示パネル２８ｂにおいては、態様識別用端子４１と接地端子４２とは互いに非結線とされている。
【００４２】
そして、制御ユニット２１に搭載された表示パネル２８の陽極端子３７は回路基板２４上の駆動電流供給用配線３３ａに接続され、態様識別用端子４１は仕様識別用配線３３ｂに接続され、陰極端子３８及び接地端子４２は回路基板２４上の接地用配線３３ｃに共通に接続される。
【００４３】
＜動作＞
まず、日本国内向け仕様の空気調和機の製造方法について説明する。
【００４４】
ここでは、始めに、第１の表示パネル２８ａの態様識別用端子４１と接地端子４２との間を、予めジャンパ線４３で短絡させておく。
【００４５】
そして、プルアップ抵抗Ｒｐ及び配線３１〜３３がパターン形成された回路基板２４上に、主制御部２５、スイッチ部２６、及び通信回路２７を実装しておき、この状態の回路基板２４に、図３に示した第１の表示パネル２８ａを搭載する。このとき、表示パネル２８ａの陽極端子３７を回路基板２４上の駆動電流供給用配線３３ａに接続し、態様識別用端子４１を仕様識別用配線３３ｂに接続するとともに、陰極端子３８及び接地端子４２を回路基板２４上の接地用配線３３ｃに接続し、制御ユニット２１を完成させる。
【００４６】
さらに、この制御ユニット２１の通信回路２７を通信回線２２に接続し、この通信回線２２に各駆動ユニット２０ａ，２０ｂ・・・を接続して、図１に示した空気調和機を完成させる。
【００４７】
次に、この日本国内向け仕様の空気調和機を使用する場合の動作について説明する。
【００４８】
まず、制御ユニット２１の回路基板２４上で電源Ｖｃｃに接続されたプルアップ抵抗Ｒｐによりプルアップされた仕様識別用配線３３ｂは、第１の表示パネル２８ａの態様識別用端子４１、ジャンパ線４３、接地端子４２及び接地用配線３３ｃを通じて接地されているため、その接地電位（ロー電位）が主制御部２５の出荷先判断部２５ｄに入力される。これに基づいて、出荷先判断部２５ｄは、表示パネル２８の表示態様が日本国内向け仕様に対応しているところの第１の表示パネル２８ａであることを認識し、ひいては当該制御ユニット２１が日本国内向け仕様の空気調和機に搭載されている旨を判断する。
【００４９】
操作者がスイッチ部２６を操作すると、このスイッチ部２６から配線３１を通じて操作信号が主制御部２５の駆動制御部２５ａ（図２）に入力される。駆動制御部２５ａは、スイッチ部２６からの制御状況に基づいて種々の制御信号を生成する。この際、出荷先判断部２５ｄでの判断結果に基づいて、予め設定しておいた日本国内向け仕様の制御信号を生成する。そして、この制御信号を配線３２及び通信回路２７を通じて通信回線２２に送出し、種々の駆動ユニット２０ａ，２０ｂ・・・に駆動制御の指示を与える。また、このときの各駆動ユニット２０ａ，２０ｂ・・・の駆動状況は、当該各駆動ユニット２０ａ，２０ｂ・・・から通信回線２２、通信回路２７及び配線３２を経て主制御部２５の駆動状況受信部２５ｂに与えられる。
【００５０】
そして、主制御部２５の表示制御部２５ｃは、駆動制御部２５ａでの各駆動ユニット２０ａ，２０ｂ・・・の駆動制御の状況と、各駆動ユニット２０ａ，２０ｂ・・・から駆動状況受信部２５ｂに与えた駆動状況の情報とに基づいて、駆動電流供給用配線３３ａを適宜選択して所定の電圧を印加する。電圧が印加された駆動電流供給用配線３３ａは、第１の表示パネル２８ａの陽極端子３７及び陽極配線を通じて所望の陽極電極の電圧を上昇させ、これにより表示セグメント３５ａの液晶層に電界を与えることで各表示セグメント３５ａの表示を行う。
【００５１】
次に、海外向け仕様の空気調和機の製造方法について説明する。尚、海外向け仕様の第２の表示パネル２８ｂの態様識別用端子４１と接地端子４２との間は、日本国内向け仕様の第１の表示パネル２８ａと異なり、ジャンパ線（図３中の符号４３参照）は省略されている。
【００５２】
この場合も、日本国内向け仕様の空気調和機の製造時と同様に、プルアップ抵抗Ｒｐ及び配線３１〜３３がパターン形成された回路基板２４上に、主制御部２５、スイッチ部２６、及び通信回路２７を実装する。その後、図４に示した海外向け仕様の第２の表示パネル２８ｂを搭載する。このとき、表示パネル２８ｂの陽極端子３７を回路基板２４上の駆動電流供給用配線３３ａに接続し、態様識別用端子４１を仕様識別用配線３３ｂに接続するとともに、陰極端子３８及び接地端子４２を回路基板２４上の接地用配線３３ｃに接続し、制御ユニット２１を完成させる。かかる状態で、この制御ユニット２１の通信回路２７を、駆動ユニット２０ａ，２０ｂ・・・に接続された通信回線２２に接続し、空気調和機を完成させる。
【００５３】
次に、この海外向け仕様の空気調和機を使用する場合の動作について説明する。
【００５４】
まず、制御ユニット２１の回路基板２４上で電源Ｖｃｃに接続されたプルアップ抵抗Ｒｐによりプルアップされた仕様識別用配線３３ｂは、第２の表示パネル２８ｂ内において態様識別用端子４１と接地端子４２とが非結線であるため、電源Ｖｃｃのハイ電位に保持されており、このハイ電位が主制御部２５の出荷先判断部２５ｄに入力される。これに基づいて、出荷先判断部２５ｄは、表示パネル２８の表示態様が海外向け仕様に対応しているところの第２の表示パネル２８ａであることを認識し、ひいては当該制御ユニット２１が海外向け仕様の空気調和機に搭載されている旨を判断する。
【００５５】
操作者がスイッチ部２６を操作すると、主制御部２５の駆動制御部２５ａは、スイッチ部２６からの操作信号に基づいて種々の制御信号を生成する。この際、出荷先判断部２５ｄでの判断結果に基づいて、予め設定しておいた海外向け仕様の制御信号を生成する。そして、この制御信号を通信回路２７に出力し、通信回線２２を通じて各駆動ユニット２０ａ，２０ｂ・・・に送信する。
【００５６】
主制御部２５の表示制御部２５ｃは、駆動制御部２５ａでの各駆動ユニット２０ａ，２０ｂ・・・の駆動制御の状況と、各駆動ユニット２０ａ，２０ｂ・・・から駆動状況受信部２５ｂに与えられた駆動状況の情報とに基づいて、駆動電流供給用配線３３ａを通じて第２の表示パネル２８ｂの各表示セグメント３５ａの表示制御を行う。
【００５７】
以上のように、日本国内向け仕様と海外向け仕様とで各駆動ユニット２０ａ，２０ｂ・・・の制御仕様が異なる場合に、日本国内向け仕様の第１の表示パネル２８ａと海外向け仕様の第２の表示パネル２８ｂとを適宜選択して実装するだけで、主制御部２５が日本国内向け仕様の制御と海外向け仕様の制御とを切り換えることが可能となるので、日本国内向け仕様の制御ユニット２１を製造する際に回路基板２４上に従来のようなジャンパ線（図５及び図９中の符号１２）を接続する必要がなくなり、製造工程が簡易となる。また、従来のように、予めジャンパ線（図５及び図９中の符号１２）を接続した回路基板とジャンパ線を省略した回路基板とをそれぞれ在庫しておく必要がなくなるので、制御ユニット２１の製造時の取り扱いが容易になる。
【００５８】
尚、上記実施の形態において、日本国内向け仕様の第１の表示パネル２８ａ内にジャンパ線４３を形成し、海外向け仕様の第２の表示パネル２８ｂでジャンパ線を省略するようにしていたが、逆に、海外向け仕様の第２の表示パネル２８ｂ内にジャンパ線４３を形成し、日本国内向け仕様の第１の表示パネル２８ａでジャンパ線を省略してもよい。
【００５９】
また、上記実施の形態では、日本国内向け仕様と海外向け仕様とで駆動ユニット２０ａ，２０ｂ・・・の制御を異ならせると共に異なる表示パネル２８ａ，２８ｂを実装する例について説明したが、この他、例えば駆動ユニット２０ａ，２０ｂ・・・の駆動制御の機能を違えた仕様の異なる全ての空気調和機において、それぞれの使用に対応した個別の表示パネルを実装する場合に、回路基板２４上でジャンパ線の取付をすることなく、表示パネル内のジャンパ線の有無により主制御部２５側で使用の違いを判断できる。
【００６０】
また、上記実施の形態では、表示パネル２８ａ，２８ｂ内での単一のジャンパ線４３の有無によって、主制御部２５が日本国内向け仕様と海外向け仕様の２つの選択枝のうちのいずれかを選択していたが、表示パネルが３種類以上のなかから選択される場合は、２個以上のジャンパ線の有無の組合せにより主制御部２５が３種類以上の選択枝のうちのいずれかを選択してもよい。この場合、ｎ個のジャンパ線の形成の有無の組合せにより、主制御部２５では最大で２nの選択枝を選択できることになる。
【００６１】
さらに、上記実施の形態では、制御ユニット２１として有線式リモートコントローラ（操作制御盤）を例に挙げて説明したが、その他、無線式リモートコントローラであってもよく、あるいは、例えば表示パネル２８（２８ａ，２８ｂ）が設置されて且つ主制御部２５を内蔵した室内機本体内の制御ユニット２１に適用してもよい。
【００６２】
さらにまた、上記実施の形態では、仕様判断用端子Ｔｇ、仕様識別用配線３３ｂ及び態様識別用端子４１を回路基板２４上のプルアップ抵抗Ｒｐによりプルアップしていたが、主制御部２５の内部でプルアップするようにしてもよい。
【００６３】
【発明の効果】
請求項１ないし請求項９に記載の発明によれば、表示パネルが、ジャンパ線の有無によって空気調和機の複数の異なる仕様に対応してそれぞれ異なる態様で表示するので、例えば請求項２、請求項４、請求項７及び請求項９のように、態様識別用端子をプルアップ手段でプルアップした場合に、この態様識別用端子に接続される仕様判断用端子の電位がジャンパ線を通じて電位保持端子の接地電位に短絡されているか否かを主制御部で判断することで、この制御ユニットが搭載される空気調和機が所定仕様である旨を識別できるようにしているので、所定仕様に対応した表示パネルと他の仕様に対応した表示パネルとを適宜選択して実装するだけで、主制御部が駆動ユニットに対する制御の仕様を切り換えることが可能となる。したがって、従来のように回路基板上にジャンパ線を形成して所定仕様を他の仕様から識別する必要がなくなり、ジャンパ線を回路基板上に形成する工程を省略できる。しかも、従来のようにジャンパ線を形成した回路基板とジャンパ線を省略した回路基板とをそれぞれ別途に在庫しておく必要がなくなるので、制御ユニットの製造時の取り扱いが容易になるという効果がある。
【図面の簡単な説明】
【図１】この発明の一の実施の形態に係る空気調和機を示すブロック図である。
【図２】この発明の一の実施の形態に係る空気調和機の制御ユニットを示すブロック図である。
【図３】この発明の一の実施の形態に係る空気調和機に使用される日本国内向け仕様の第１の表示パネルを示す図である。
【図４】この発明の一の実施の形態に係る空気調和機に使用される海外向け仕様の第２の表示パネルを示す図である。
【図５】従来の空気調和機の制御ユニットを示すブロック図である。
【図６】従来の日本国内向け仕様の空気調和機に搭載される日本語表示式の表示パネルの例を示す図である。
【図７】従来の日本国内向け仕様の空気調和機に搭載される日本語表示式の表示パネルの例を示す図である。
【図８】従来の海外向け仕様の空気調和機に搭載される表示パネルの表示例を示す図である。
【図９】回路基板上にジャンパ線を取り付けた状態を示す図である。
【図１０】回路基板上でジャンパ線を省略した状態を示す図である。
【符号の説明】
２０ａ，２０ｂ  駆動ユニット，２１  制御ユニット，２２  通信回線，２４回路基板，２５  主制御部，２５ａ  駆動制御部，２５ｂ  駆動状況受信部，２５ｃ  表示制御部，２５ｄ  出荷先判断部，２６  スイッチ部，２７  通信回路，２８（２８ａ，２８ｂ）  表示パネル，３５ａ，３５ｂ  表示セグメント，４１  態様識別用端子，４２  接地端子，４３  ジャンパ線，Ｒｐ  プルアップ抵抗，Ｔｇ  仕様判断用端子，Ｖｃｃ  電源
【図１】
0003823684.tif 000002
【図２】
0003823684.tif 000003
【図３】
0003823684.tif 000004
【図４】
0003823684.tif 000005
【図５】
0003823684.tif 000006
【図６】
0003823684.tif 000007
【図７】
0003823684.tif 000008
【図８】
0003823684.tif 000009
【図９】
0003823684.tif 000010
【図１０】
0003823684.tif 000011